(57)【特許請求の範囲】
【請求項１】
下記（ｉ）〜（iii）の工程から成る超吸収剤ポリマー粒子（ＳＡＰ粒子）を複数の粒子流に分配する方法：
（ｉ） 超吸収剤ポリマー粒子を用意し、
（ii）ハウジング（１２）中に設けた断面がＪ形をした縦方向軸線を有する回転モービル（可動装置）（１１）を用いて上記超吸収剤ポリマー粒子に回転を与え、上記回転モービル（１１）のＪ形は中心から６５％〜９０％の距離の所の回転モービルの半径上に軸線を有するパラボラに由来し、および／または、回転モービル（１１）の上記Ｊ形は赤道面とＪ形の外周部とが成す角度が５°〜３０°であり、回転モービル（１１）とハウジング（１２）との間の間隙は５ｍｍ〜２０ｍｍであり、
（iii）上記回転モービル（１１）を１００〜１０００ｒｐｍの回転速度で回転させて各粒子の周速度を０．５ｍ／秒〜８ｍ／秒にし、上記間隙を通って落下する粒子は均一なカーテン（１３）を形成し、このカーテン（１３）から２〜８つの複数の互いに分離した粒子流を回収する。
【請求項２】
回転モービル（１１）とハウジング（１２）との間の間隙を１０ｍｍ〜１５ｍｍにする請求項１に記載の方法。
【請求項３】
回転モービル（１１）が５０ｍｍ〜２５０ｍｍの直径を有し、および／または、ハウジング（１２）が６０ｍｍ〜３００ｍｍの内径を有する請求項１または２に記載の方法。
【請求項４】
粒子を用意する工程（ｉ）で、回転モービル（１１）へＳＡＰ粒子を重力で供給するか、スクリューを使用して供給する請求項１〜３のいずれか一項に記載の方法、
【請求項５】
粒子を用意する工程（ｉ）で、回転モービル（１１）の回転シャフトの周りに位置した円形ノズル（１５）を通してＳＡＰ粒子を供給し、この円形ノズル（１５）は環状形状の孔を規定し、この孔は５ｍｍ〜２０ｍｍの口径を有し、および／または、円形ノズル（１５）が回転モービル（１１）の回転シャフトと上記Ｊ形との結合点から上方に２ｍｍ〜１７ｍｍの距離離れて位置している請求項４に記載の方法。
【請求項６】
分離させた粒子流を回収する工程（iii）で等間隔に配置した開口（１４ａ、１４ｂ、１４ｃ、１４ｄ）中にＳＡＰ粒子を回収する請求項１〜５のいずれか一項に記載の方法。
【請求項７】
下記（ｉ）〜（iii）から成る請求項１〜６のいずれか一項に記載の方法を実行するための分配装置：
（ｉ） ハウジング（１２）、
（ii）上記ハウジング（１２）中に設けた断面がＪ形をした縦方向軸線を有する回転モービル（１１）であって、上記Ｊ形は中心から６５％〜９０％の距離の所の回転モービルの半径上に軸線を有するパラボラに由来し、および／または、この上記Ｊ形は赤道面とＪ形の外周部とが成す角度が５°〜３０°であり、回転モービル（１１）とハウジング（１２）との間の間隙は５ｍｍ〜２０ｍｍで、上記間隙を通って落下する粒子が均一なカーテン（１３）を形成するようにした回転モービル（１１）、
（iii）上記カーテン（１３）から２〜８つの複数の互いに分離した粒子流を回収するための等間隔に配置した開口（１４ａ、１４ｂ、１４ｃ、１４ｄ）。
【請求項８】
請求項１〜６のいずれか一項に記載の方法でＳＡＰ粒子を分配する工程を含む、吸収剤物品（１）が吸収剤を収容するポケット（４ａ、４）の列を有する第１シート層（２）と、上記ポケット（４ａ、４）中に収容される所定質量の上記吸収剤（６）と、上記第１シート層上に配置される第２シート層（７）とを有する超吸収剤ポリマー粒子を含む吸収剤物品（１）の製造方法であって、
下記工程を有することを特徴とする方法：
（ａ）第１シート層（２）を用意し、
（ｂ）上記第１シート層（２）にポケット（４ａ、４）の列を作り、
（ｃ）請求項１〜６のいずれか一項に記載の方法でＳＡＰ粒子（６）を用意し、
（ｄ）回収した互いに分離した粒子流を各ポケット（４ａ、４）にＳＡＰ粒子（６）を入れた後に、第２シート層（７）材料を第１シート層（２）に付けて第１シート層（２）とサンドイッチし、
（ｅ）吸収物品に仕上げ加工する。
【請求項９】
吸収剤物品（１）をおしめ、トレーニングパンツ、サニタリーナプキン、失禁用品または包帯に仕上げる工程をさらに有する請求項８に記載の方法。
【請求項１０】
一つのポケット中の流体吸収剤ポリマーの粒径分布（ＰＳＤ）が他のポケット中のＰＳＤに対して１５％以下しか変化しないことを特徴とする吸収剤物品製造での請求項８または９に記載の方法の使用。
【発明の詳細な説明】
【技術分野】
【０００１】
本発明は、超吸収剤（superabsorbents）ポリマー粒子を実質的に同じような流量の複数の粒子流に分配（dose）する新規な方法に関するものである。
本発明はさらに、超吸収剤ポリマー粒子を含む吸収剤物品を製造する方法を提供する。本発明は個人のケアー用吸収剤製品、例えばおしめ、トレーニングパンツ、サニタリーナプキン、失禁衣服、包帯等で広く使われている公知吸収剤物品の製造方法にも関するものである。
【背景技術】
【０００２】
これらの物品の吸収要素は今日では高吸収性材料、例えばSuper Absorbent Polymers−ＳＡＰ−から成り、おしめ等の吸収コアを形成している。
【０００３】
ＳＡＰには多くの利点があるが、ＳＡＰは微粉末の形で入手できるため、分配（dose）するのが難しいという問題がある。この問題は均一層へ均一に分配できる装置では特に問題はないが、ＳＡＰを一定パターンに分配する必要がある場合には問題になる。
【先行技術文献】
【特許文献】
【０００４】
【特許文献１】国際公開第WO2010/133529号公報
【非特許文献】
【０００５】
【非特許文献１】「Modern Superabsorbent Polymer Technology」, F. L. Buchholz and A. T. Graham, Wiley-VCH, 1998, pages 71−103
【発明の概要】
【発明が解決しようとする課題】
【０００６】
ＳＡＰ粒子を互いに異なる流速で分配するために特定の分配具を使用して各々の特定の流れ（および分配パターン）に合わせることはできるが、その場合にはコストが高くなり、メンテナンスにも問題もあり、さらに、全ての分配具を設置するのに必要な容積が大きくなるため、場合によっては使用ができないこともある。
【０００７】
互いに異なる流速で分配するための公知システムは一般に振動ベルトと、この振動ベルトの端部に配置した分離具とをから成る。このシステムでも流速 および各フローのＰＳＤ（粒径分布、Particle Size Distribution）を大きく変えるというニーズに応える必要がある。
【課題を解決するための手段】
【０００８】
本発明は、下記（ｉ）〜（ｉｉｉ）の工程から成る、超吸収剤ポリマー粒子を複数の粒子流（フロー）に分配する方法を提供する：
（ｉ）  超吸収剤ポリマー粒子を用意し、
（ｉｉ）この超吸収剤ポリマー粒子に回転を与え、この工程（ｉｉ）はハウジング（１２）中に設けた回転モービル（mobile、可動装置）（１１）を用いて実行し、
（ｉｉｉ）各々に分離させた超吸収剤ポリマー粒子流を回収する。
【０００９】
本発明はさらに、本発明方法を実行するための分配装置（dosing apparatus）、特に、ハウジング（12）と、このハウジング（１２）内に配置した回転モービル（１１）とから成る分配装置を提供する。
【図面の簡単な説明】
【００１０】
【図１】本発明の吸収剤物品の形成方法を示す図。
【図２】本発明の吸収剤物品の平面図。
【図３】本発明の分配装置の断面図。
【発明を実施するための形態】
【００１１】
本発明の一つの実施例では、上記回転モービル（mobile、可動装置）（１１）とハウジング（１２）との間の隙間が約５ｍｍ〜２０ｍｍ、好ましくは１０ｍｍ〜１５ｍｍである。
【００１２】
本発明の一つの実施例では、回転モービル（１１）はＪ形をしている。
本発明の一つの実施例では、回転モービル（１１）のＪ形は中心から７５％〜８０％、好ましくは６５％〜９０％、好ましくは７０％〜８５％の距離の所の回転モービルの半径上に軸線を有するパラボラに由来する。
本発明の一つの実施例では、回転モービル（１１）の上記Ｊ形が赤道面とＪ形の外周部とが成す角度が５°〜３０°、好ましくは７°〜２５°、より好ましくは１０°〜２２°である。
本発明の一つの実施例では、回転モービル（１１）が５０〜２５０ｍｍ、好ましくは１００〜２００、より好ましくは１３５ｍｍ〜１７５ｍｍの直径を有する。
本発明の一つの実施例では、ハウジング（１２）が６０〜３００ｍｍ、好ましくは１１０〜２１５ｍｍ、より好ましくは１６０ｍｍ〜２００ｍｍの内径を有する。
本発明の一つの実施例では、回転モービル（１１）の回転速度が１００〜１０００ｒｐｍ、好ましくは２００〜８００ｒｐｍ、より好ましくは３００〜５００ｒｐｍである。
【００１３】
本発明の一つの実施例では、回転モービル（１１）の回転速度は、各粒子が少なくとも一回転するような回転速度である。
本発明の一つの実施例では、回転モービル（１１）の回転数は、各粒子が０．５ｍ／秒〜８ｍ／秒に、好ましくは２ｍ／秒〜４ｍ／秒の周速度を有するような回転数である。
本発明の一つの実施例では、工程（ｉｉ）は粒子のカーテン（１３）を形成する工程から成る。
本発明の一つの実施例では、分離させた粒子流を回収する工程（ｉｉｉ）が、等間隔に配置した開口（１４ａ、１４ｂ、１４ｃ、１４ｄ）中に粒子を回収することからなる。
本発明の一つの実施例では、粒子を用意する工程（ｉ）で、重力で粒子を供給するか、スクリューを使用する。
本発明の一つの実施例では、粒子を供給する工程（ｉ）を実質的に工程（ｉｉ）の回転シャフトに沿って実行する。
本発明の一つの実施例では、粒子を用意する工程（ｉ）を、回転シャフトの周りに位置した円形ノズル（１５）を通して粒子を供給して行う。
本発明の一つの実施例では、上記円形ノズル（１５）が環状形状の孔を規定し、この孔は５ｍｍ〜２０ｍｍ、好ましくは７ｍｍ〜１２ｍｍ、より好ましくは１０ｍｍ〜１５ｍｍの口径（lumen）を有する。
【００１４】
本発明の一つの実施例では、上記ノズル（１５）は、回転モービル（１１）のシャフトと上記Ｊ形との結合点から上方に２ｍｍ〜１７ｍｍ、好ましくは５ｍｍ〜１２ｍｍの距離離れて位置している。
本発明の一つの実施例では、ノズル（１５）が円錐形の内側形状を有し、この内側形状は垂直線に対して４５°〜７５°、好ましくは５０°〜７０°の角度を成す。
本発明の一つの実施例では、ハウジング（１２）の底部の内側形状が垂直線に対して７０°〜８５°、好ましくは７５°〜８０°の角度を成す。
本発明の一つの実施例では、上記の回収工程（ｉｉｉ）が２つ〜８つ、好ましくは４つ〜６つに分けた各粒子流を回収する工程である。
【００１５】
本発明はさらに、上記方法によって粒子を分配する本発明の対象である超吸収剤ポリマー粒子から成る吸収剤物品（１）の製造方法を提供する。
本発明の一つの実施例では、上記方法は下記（ａ）〜（ｃ）：
（ａ）吸収剤を収容するポケット（４ａ、４）の列を有する第１シート層（２）と、
（ｂ）上記ポケット（４ａ、４）中に収容される所定質量の上記吸収剤（６）と、
（ｃ）上記第１シート層上に配置される第２１シート層（７）と、
から成る吸収剤物品（１）を製造する方法であり、この方法は下記の（ｄ）〜（ｇ）の工程を有する：
（ｄ）第１シート層（２）を用意し、
（ｅ）上記第１シート層（２）にポケット（４ａ、４）の列を作り、
（ｆ）本発明の分配方法でＳＡＰ粒子材料（６）を用意し、
（ｇ）第２シート層（７）材料を用意し、それを第１シート層（２）に付けて第１シート層（２）とサンドイッチし、
（ｈ）吸収物品に仕上げ加工する。
【００１６】
本発明の一つの実施例では、上記方法は上記吸収剤物品（１）をおしめ、トレーニングパンツ、サニタリーナプキン、失禁衣服または包帯に成形する工程を有する。
本発明はさらに、上記方法で得られた吸収剤物品を提供する。この吸収剤物品では一つのポケット中の流体吸収剤ポリマーの粒径分布（ＰＳＤ）が他のポケット中のＰＳＤに対して１５％以下は変化しない。
【００１７】
従って、本発明では実質的に同様なＰＳＤを有するＳＡＰ粒子流を形成することができる。それによって多数の分配装置を使用する必要はなくなり、コストおよびメンテナンスで利点（ゲイン）が得られる。
【実施例】
【００１８】
以下、本発明をより詳細に説明するが、本発明が下記の説明に限定されるものではない。
【００１９】
［図１］は本発明の一つの実施例に従った本発明の吸収剤物品の製造方法を示す図である。
最初に、最初のシート層（２）を用意する。この最初の層は底部層となる。この層（２）は液体非透過層にすることができるが、例えばおしめのバックシートが存在する場合にはこの液体非透過層は不要である。
【００２０】
次いで、この層上に接着剤（３）の層が塗布される。の接着剤は一般にホットメルト接着剤であり、それについては以下で詳細に説明する。接着剤層は全面に付けてもシール（密封）エリアの近傍だけに付けてもよいが、接着剤がＳＡＰを受け、それを接着して大ＳＡＰの大部分がシート層の面に付着するようにする。そうすることでＳＡＰの位置を改良し、使い捨て型（ディスポーザブル）おしめ内でＳＡＰが動いて移動するのを防止することができる。
【００２１】
次いで、接着剤層（３）を有するシート層（２）を種々の所望形状に成形する。種々の公知技術を用いてポケット（４ａ、４）の形に成形できる。図示した実施例では機械方向にバンドを形成し、次いで横方向に成形するステップが示されている。
【００２２】
次いで、［図２］に示すように、上記ステップで形成したポケット（４ａ、４）間の位置に接着剤ビード（５）（接着剤ロープともよばれる）を塗布する。［図２］は吸着剤コアの平面図で、四角形をしたポケットと、縦方向（ＭＤ）および横方向（ＴＤ）に塗布したビード（５）とを示している。この塗布には標準的技術が使われる。
【００２３】
上記ビードは使用中にシート層を結合しておくことで構造強度を確保する役目をする。
【００２４】
次に、横方向のポケットを形成するステップを実行する。このステップはオプションであるが、行うのが好ましい。接着剤ビードを塗布するステップはポケットの横方向を形成するステップの前または後に実行することができる。あるいは、ほぼ同時に実行することもできる。
【００２５】
こうして形成したポケットは種々の形状および形を有することができる。例えば、ポケットは長方形または正方形にすることができ、その変の長さは種々変化させることができる。例えば、長さは任意方向、任意形状で１０ｍｍ×１０ｍｍから１０ｍｍ×８０ｍｍまで変化させることができ、これには２０ｍｍ×２０ｍｍ〜２０ｍｍｘ６０ｍｍまたは２０ｍｍ×２０ｍｍ〜４０ｍｍ×４０ｍｍまたは２０ｍｍｘ４０ｍｍが含まれる。ポケットの最終的深さはそれに収容されるＳＡＰ材料の質量に依存する。幼児用パンツの場合の深さ（最後形状成形後すなわちカレンダー加工後の深さ）は例えば１ｍｍから５ｍｍであるのが好ましい。これ以外の任意の所望の幾何学形状およびパターンにすることもできる。特に好ましい形状は機械運転方向に一つまたは複数の連続ストラップを塗布し、各ストラップを互いに平行に塗布する形状である。
【００２６】
縦方向ポケットにすることも可能である。この場合のポケットは例えば１０〜８０ｍｍ×１００〜４００ｍｍに延ばすことができる。
【００２７】
形成したポケット中には以下で説明する適当な分配装置を使用してＳＡＰを入れる。
【００２８】
第２シート層（７）上には最初に接着剤層（８）が塗布される。この第２シート層（７）は一般に水透過性で、流体が透過してＳＡＰへ達することができる材料からなる。一般に、この第シート層（７）はトップ層の役目をする。シート層を通って流体が透過できるようにするために、接着剤層を完全なものにしないか、多孔質にする。この接着剤層（８）はオプションで、省略することもできる。
【００２９】
次いで、ＳＡＰ（６）を収容したポケット（４ａ、４）を有し且つビード（５）を有する第１シート層（２）の上へ接着剤層（８）を有する第２シート層（７）を取り付ける。この取り付けはビード（５）近傍の区域（９）で行われる。
【００３０】
こうして作られたサンドイッチ構造物にプリーツ（襞）（１０）を形成し、カレンダー加工を施して２つのシート層を確実に結合する。
【００３１】
組立体の底部層（不織布）上には例えば感圧接着剤を直接塗布する。同じ接着剤を組立体のトップ層（不織布）上にも直接塗布する。このトップ層を底部層上に乗せ、圧縮ロールを使用して押圧する。別の実施例では上記組立作業を繰り返すが、接着剤のビード接着剤を塗布したトップ層と底部層との間に挿入する。組立体を作るためにこれと同じ方法を用いて押圧された積層品の中央部にビード接着剤を配置することもできる。
【００３２】
本発明では、形成されたポケット中にＳＡＰが極めて効率的に保持され、ズレたり、および／または、物品の特定位置で凝固するのを防止できる。
【００３３】
以下、本発明物品を製造するためのステップと、その各種の変形例とをより詳細に説明する。
【００３４】
本発明で使用するＳＡＰは十分な量の水を吸収可能な任意の製品にすることができる。典型的なＳＡＰはその乾燥体積の１０〜５０倍、一般には２０〜４０倍の水を吸収する間（重量比で表した場合にはこの比はさらに大きくなる）。例えば、１５ｇのＳＡＰは４００ｃｃの流体を保持できる（連続した４回の濡れテストとして実施、４×１００ｃｃ）。ＢＡＳＦ者はこのＳＡＰの代表的な供給会社である。ＳＡＰは一般に微粉末の形で入手でき、その粒度は大きく変化する（例えば、１００μｍから８５０μｍメッシュの粒子流が６０％以上）。典型的なＳＡＰは（メタ）アクリレートポリマー、特にポリアクリル酸のアルカリ金属塩である。インナーが吸収性で、外側が浸透膜の場合にはコア／シェルンも使用できる。ＳＡＰ自体は周知のものである。
【００３５】
超吸収ポリマー（Super Absorbent Polymers -SAP-) の製造方法は［非特許文献１］（「Modern Superabsorbent Polymer Technology」, F. L. Buchholz and A. T. Graham, Wiley-VCH, 1998, pages 71−103）に記載されている。
ＳＡＰは特許文献１（国際公開第ＷＯ２０１０／１３３５２９号公報）に記載のものでもよい。この特許の内容は本明細書の一部を成す。
充填するＳＡＰの量は高範囲に変えることができる。例えば、幼児用おしめの場合に通常使われるＳＡＰの量は８〜２０ｇ、好ましくは11〜１８ｇ、より好ましくは１２〜１５ｇである。
【００３６】
本発明では複数のシート層を使用する。その一つの代表的なシートは底部層用シートであり、他の一つはトップシートである。これらのシートは両方とも不織布にすることができる。この不織布は種々の方法を使用して製造でき、ステープル不織布、スパンボンド不織布、スパンレイド不織布、エアーレイド不織布等を挙げることができる。不織布の結合は機械的（例えば、からませる）か、熱的か、超音波か、化学的、その他にことができる。不織布は当業者に周知である。必要とされる場合、使用する不織布は標準的なものでも、構造化されたものでも、エンボス加工されているものでもよい。
【００３７】
不織布を予め液体中に通すか、含侵させることができる。当業者は要求にマッチした使用繊維を選択することができる。繊維を液体に通して繊維を親水性にして不織布の製造に適したものにする方法は公知である。
【００３８】
繊維は従来の合成繊維でも半合成繊維（例えばポリエステル、ポリオレフィン、レーヨン）にすることができ、また、従来の天然繊維、例えばcottonにすることができる。不織布材料の場合、繊維はポリアクリレートのような結合剤を用いて結合できる。好ましい材料はポリエステル、レーヨン、ポリエチレンおよびポリプロピレンである。液体ガン侵方法の例は特許文献２、特許文献３、に記載されている。
【００３９】
【特許文献２】国際公開第ＷＯ９９／５７３５５Ａ１号公報
【特許文献３】欧州特許第ＥＰ  １０２３８８３Ａ２号公報
【００４０】
液体侵侵層の例は一般に疎水性ポリエチレンまたはポリプロピレンから成る層であり、他の材料はポリエステルおよびポリアミド等を使うことができる。
【００４１】
シートの片側を特定アスペクト比またはフィーリングを有するシートとし、反対側を特定の特性、例えば接着性を有するシートにした多重積層構造にすることもできる。そうした不織布は特許文献３、特許文献５に記載されている
【００４２】
【特許文献４】欧州特許第ＥＰ１６０９４４８号公報
【特許文献５】米国特許公開第ＵＳ２００８／００４５９１７号明細書
【００４３】
ＳＡＰによって液体を補足できるようにするために、トップ層は液体透過性（permeable）である。トップ層として使用可能な不織布の例としてば親水性処理をしたポリエチレンまたはポリプロピレン繊維、レーヨン、その他任意の適切な繊維が挙げられる。上記文献にはトップ層として使用可能なものが記載されている。面重量は広範囲で変えることができ、例えば５〜１００ｇ／ｍ2、好ましくは１０〜５０ｇ／ｍ2にすることができる。
【００４４】
通常の場合、底部シート層は液体不透過性であるが、これは必須ではない。不織布にすることができる。底部層に使用可能な不織布はポリプロピレンまたはポリエステル繊維であるということは当業者に周知である。上記文献には底部シート層として使用可能なシート層が記載されている。その面重量は広範囲に変えることができ、５〜１００ｇ／ｍ2、好ましくは１０〜５０ｇ／ｍ2にすることができる。底部シート層に制御された量の空気を通す多孔質性を付与することもできる。それによってポケットの成形が容易になり、ＳＡＰの充填が容易になるこの点は以下で明らかになる。
【００４５】
本発明で使用する接着剤は当業者に公知のものである。第1の種類の接着剤はビード用に使用される。ビード用接着剤の代表例はホットメルト接着剤であり、代表的にはＰＳＡ（Pressure Sensitive Adhesive）である。好ましい接着剤はＨＭＰＳＡである。ビード用に使用可能な典型的なＨＭＰＳＡは水素化された炭化水素樹脂と、ナフテン油とを含むＳＢＳをベースにした接着剤である。接着性の塗布方法も当業者に公知であり、連続または不連続に塗布でき、好ましくは連続的に塗布する。リニア塗布重量は０．１〜５ｇ／直線ｍである。
ビードの塗布と機械（縦）方向（ＭＤ）でも、横方向（ＴＤ）でも、その両方でもよい。ビードは得られた吸収剤物品の幾何学的安定性を確実にする役目をする。ビードは排水機能もする。液体はシート層、特に不織布層の内部へ移行（マイグレート）する。液体はビードの所でビードによって規定される経路に沿って案内される。従って、排水経路を規定し、それによって吸収剤物品の全体の上に流体をより均一に分配させることができる。
【００４６】
接着剤層（３）（８）（存在する場合）にも同様な接着剤を使用できる、これらの接着剤はトップ層および底部層と同じものでなくてもよい。接着剤は当業者に公知の技術を使用して塗布できる。コーチングは全体に行っても部分的に行ってもよい（特性パターンに沿ったマルチライン、マルチドット、ＭＤ、ＴＤ、螺旋噴霧、ポーラスコーチング、発泡コーチング等）。トップ層に使用する場合には、接着剤は流体がトップ層を通り抜けることができるようなものにする。従って、トップ層用のコーチングは通常はオープンコーチングである。面重量は通常５〜６０ｇ／ｍ2、好ましくは１０〜２０ｇ／ｍ2である。シート層に使用する接着剤（シート層上に塗布するビード）は水溶性でないのが好ましい。
【００４７】
ホットメルトは特に感圧接着剤（Pressure Sensitive Adhesives、ＰＳＡ）、特にＨＭＰＳＡであるのが好ましい。
【００４８】
一般的に言って、ホットメルト接着剤は下記（ａ）〜（ｆ）から成るが、これに限定されるものではない：
（ａ）ポリマー、例えばＥＶＡ、ＰＥ、ＰＰ、ＥＥＡ（エチレン・エチルアクリレート）および熱可塑性エラストマーまたはゴム、例えばＳＩＳ、ＳＩＢＳ、ＳＥＰＳ、ＳＢＳ、ＳＥＢＳまたはブタジエンをベースにしたポリマーのような（ブロック）スチレンコポリマー、さらにはエチレン−プロピレン・コポリマー、ＥＰＲおよびオレフィンブロックコポリマー（ＯＢＣ）。無水マレイン酸による改質等の化学的改質をしたものでもよい。典型的な重量平均分子量ＭＷはポリマーの場合６０ｋＤａ〜４００ｋＤａの間である。このポリマーは機械強度、耐屈曲性、耐障壁性、明度および粘度調整剤の役目をするために組成物の１０〜８０重量％、好ましくは１５〜４０重量％を構成することができる。
【００４９】
（ｂ）極性または無極性樹脂である粘着樹脂。極性樹脂は（ｉ）天然ロジンまたは改質ロジン、例えば松ゴムから抽出したロジン、その重合物、ダイマー化物、脱水素化物、水素化物またはモノアルコールまたはグリコール、グリセリン、ペンタエリスリトール等のポリオールとのエステル化物、（ｉｉ）一般にフリーデルクラフツ（Friedel-Crafts）触媒の存在下で炭化水素重合して得られるテルペンに由来するテルペン樹脂、例えばα−ビニルトルエン、フェノールの作用で改質したモノテルペン（またはピネン）であり、無極性樹脂は（ｉｉｉ）オイルのカット分から得られる不飽和脂肪族炭化水素の混合物の水素化、重合または（芳香族炭化水素との）共重合で得られる樹脂；（ｉｖ）一般にフリーデルクラフツ（Friedel-Crafts）触媒の存在下でテルペン炭化水素を重合して得られるテルペン樹脂、例えばモノテルペン（またはピネン）、天然テルペンを含むコポリマー、例えばスチレン／テルペン、α−ビニルトルエン／テルペンおよびビニルトルエン／テルペンである。
【００５０】
この粘着樹脂は天然物（エステルガム、テルペンまたはテルペン−フェノールエステル）またはオイルベースの脂肪族または芳香族の粘着樹脂にすることができる。粘着樹脂は一般に組成物の１０〜６０％、好ましくは３０〜８０％にすることができ、その役目はホット・タックを与え、付着性および制御された凝集性を増加させることにある。
【００５１】
（ｃ）パラフィンおよびワックス。組成物の０〜２０％にすることができ、その役目はバリヤー性を与え、剛性およびホットメルト硬さ性質を与えることにある。
【００５２】
（ｄ）オイルのような可塑剤。組成物の約０〜３０％にすることができ、ホットメルト耐屈曲性と粘性を制御する役目をする。
【００５３】
（ｅ）酸化防止剤。組成物の０．２〜２％にすることができ、ホット時および冷却時に成分を安定化させる役目をする
【００５４】
（ｆ）特定の特性、例えば紫外線抵抗性（酸化抵抗性）、耐防炎性、抗アレルギー性、レオロジー改質、その他が求められる時に使用する充填材。
【００５５】
ホットメルトは次の組成物を有することができる：１５〜４０％の熱可塑性ポリマー、３０〜６０％の粘着樹脂、３０％以下の他の成分：可塑剤オイル、酸化防止剤、添加剤等。
残留タックは成分および組成物を調整して制御できる。
【００５６】
ＳＡＰと一緒に接着剤を使用することもできる。それによってＳＡＰの移動を減らすことができる。これは上記のＨＭＡよ、ＨＭＰＳＡにすることができ、また、水ベース（ＷＢ）でもよく、例えばＷＢＰＳＡにすることができる。ＳＡＰと一緒に使用できる接着剤は水溶性にすることができる。この接着剤は形成されたポケット中にＳＡＰを入れる時に同時に塗布することができる。この実施例ではＳＡＰ粒子または粒塊をより強固に保持できる。これはプロセスおよび／またはデザイン上の有益である。
【００５７】
吸収剤物品は公知の種々の方法を使用して製造でき、例えば下記文献を参照できる：
【特許文献６】欧州特許第EP-A-1621166号公報
【特許文献７】欧州特許第EP-A-1621167号公報（P&G）
【特許文献８】米国特許公開第US2010/0100065号明細書（Fameccanica）
【特許文献９】欧州特許第EP724418号公報
【特許文献１０】欧州特許第EP725613号公報
【特許文献１１】欧州特許第EP725616号公報(Kimberly-Clark)
【特許文献１２】国際公開第WO2012/048878号公報
【特許文献１３】国際公開第WO2012/048879号公報
【特許文献１４】国際公開第WO2012/052172号公報
【特許文献１５】国際公開第WO2012/052173号公報（Vynka and Romanova)
【００５８】
本発明の分配装置は必要な量のＳＡＰ流を製造ラインへ送るのに用いられる。
【００５９】
以下、［図３］を使用して本発明の分配装置をより詳細に説明する。図示した実施例では回転モービル（mobile、可動装置）の軸線は垂直であるのが好ましい。以下では、分配累積流量は２ｋｇ／時間〜１２０ｋｇ／時間である例が適当であると思われるので、その例を説明するが、本発明がこの例に限定されるものではない。
【００６０】
モービル（mobile、可動装置）（１１）はＪ形を有しており、一般にはパラボラ形モービル（１１）である。このモービル（１１）の直径は５０〜２５０ｍｍ、好ましくは１００〜２００ｍｍ、典型的には約１３５ｍｍ〜１７５ｍｍであり、ハウジング（１２）の内径は６０〜３００ｍｍ、好ましくは１１０〜２１５ｍｍ、典型的には１６０ｍｍ〜２００ｍｍである。
【００６１】
モービルとハウジングとの間の間隙は約５ｍｍ〜２０ｍｍ、好ましくは１０ｍｍ〜１５ｍｍである。
【００６２】
赤道面からのモービルの高さは３５〜７５ｍｍ、好ましくは４０〜７０ｍｍ、典型的には４７．５ｍｍ〜６２．５ｍｍである。
【００６３】
一般に、上記のＪ形曲線はモービルのシャフトに対して滑らかに連続している。モービルの外周で上記Ｊ形曲線が赤道面に対して成す角度は５°〜３０°、好ましくは７°〜２５°、典型的には１０°〜２２°である。
【００６４】
回転モービル（１１）のＪ形は、その中心から６５％〜９０％、好ましくは７０％〜８５％、典型的には７５％〜８０％離れた所で、モービルの半径上にその軸線を有するパラボラから導かれるのが好ましい。
【００６５】
主シャフトの直径は５ｍｍ〜１０ｍｍ、典型的には８ｍｍで、環状のフロー隙間を作るのを助ける。
【００６６】
ＳＡＰ粒子を供給するためのノズル（１５）は、モービルの軸線の周りに環状を成し、モービルのシャフトの外側と上記ノズルの内径との間のギャップとして定義される口径は５ｍｍ〜２０ｍｍ、好ましくは７ｍｍ〜１２ｍｍ、典型的には１０ｍｍ〜１５ｍｍ、例えば約１２ｍｍである。分配装置のこの部分の直径は流量に関係し、流量が４０ｋｇ／時間〜８０ｋｇ／時間の場合には１２ｍｍにするのが適している。
【００６７】
ノズル（１５）は、モービルのシャフトと上記Ｊ形との間の接合点から上方に２ｍｍ〜１７ｍｍ、好ましくは約５〜１２ｍｍ、典型的には約８ｍｍの所に位置している。
【００６８】
ノズル（１５）の内側形状は円錐形で、この円錐形は垂直線に対して４５°〜７５°、好ましくは５０°〜７０°、典型的には６０°の角度を成す。
【００６９】
粒子は一般に重力でノズルに供給される。スクリューのような特定の装置を用いて粒子を供給することもげきる。この供給はモービルの回転シャフトに沿って実行するのが好ましい。
【００７０】
ハウジング（１２）は下側部分を油脂、この下側部分の内側は垂直線に対して７０°〜８５°、好ましくは７５°〜８０°、典型的には７７°の角度を成す。ハウジングの内側部分はＳＡＰ粒子がこの面上を流れ、滞留しないような粗さの面をしている。
【００７１】
分配装置の最下部にはチャンネルの形をした等間隔に配置された孔（１４ａ、１４ｂ、１４ｃ、１４ｄ）が位置している。典型的には４つの孔があるが、２つまたは３つの孔にすることもでき、また、５つ、６つまたは８つ、さらにはそれ以上の数の孔にすることもできる。これらの孔はＳＡＰ粒子を集め、その後のラインにさらに分配する。
【００７２】
上記の数値は、ＳＡＰ粒子を変える時、流量を変得る時、より一般的には所望のフロー特性にするためにリセットし、規定し直すことができる。
【００７３】
モービルは軸線方向に固定することができ、また、ノズルからの距離を変化させるためにその軸線に沿って移動させることもできる。モービルは固定ベースを有することができ、また、形を変化させ、および／または、モービルとハウジングとの間の間隙を変化させることができるようにするために、種々の形状に変えることができる。そのためにシム板を用意する。ノズルの口径は流量に合わせることができ、流量が多いときには大きな口径が必要になる。分配装置の角度も流量に合わせて変えることができる。
【００７４】
上記パラメターは周速度にも関係する。各フロー（流量範囲）に対してモービルの直径に関係する最適の回転速度が規定できる。
【００７５】
回転速度は、一般に粒子の周速度が０．５ｍ／秒〜８ｍ／秒、好ましくは２ｍ／秒〜４ｍ／秒となるように選択する。周速度（ｍ／秒）＝（ｒｐｍ／６０）．２π．（Φ／２）である。ここで、Φは回転モービルの直径を表す。
【００７６】
本発明の分配装置は粒子のカーテン（１３）を形成させる。カーテンは実質的に均一である。このカーテンはモービルが所定回転数で分配装置の軸線の周りを少なくとも一回転するときに形成される。均一なカーテンが得られれば、その下側にある孔またはチャンネル中の流量も実質的に同じになり、実質的に同じ量のＰＳＤになる。上記の回転と周速度が与えられるので、粒子がハウジングの下部に衝突しても破損することはなく、その物理的一体性を維持する。従って、本発明の分配装置では脆性のあるＳＡＰ粒子を取り扱うことができる。
【００７７】
設定パラメター、特に流量と回転速度は各々他方のパラメターとの関係を考慮して決めることができる。流量が同じ場合、％偏差は一般に回転速度の関数であり、回転速度が同じ場合、％偏差は一般に流量の関数である。従って、工業的なニーズから与えられる流量をセットすれば、回転速度を変化させることができ、この回転速度は最小偏差でセットできる。例えば、流量範囲が４０ｋｇ／時〜８０ｋｇ／時の場合には４００ｒｐｍの値にするのが適している。モービルの回転速度は１００〜ｌ０００ｒｐｍ、好ましくは２００〜８００ｒｐｍ、より好ましくは３００〜５００ｒｐｍで変えることができる。
【００７８】
本発明分配装置のための上記パラメターを用いて、５８ｋｇ／時の流量で、４００ｒｐｍの回転速度の場合に、下記の分配（％、合計１００％）について下記の４つのフローを作った。下記の［表１］は同一のチャンネル（１４ａ、１４ｂ、１４ｃ、１４ｄ）において４回の異なる運転（ラン）の結果である。
【００７９】
【表１】
0006342420.tif 000002
【００８０】
粒径分布は分配装置に入る粒子と各出口孔から出てくる粒子とで求めた。ホッパーおよびスクリューはこの供給装置の一部であり、上記の値は入ってくるＳＡＰのＰＳＤを表す。このＰＳＤはＥＤＡＮＡ推薦の標準試験番号WSP 220.3.10「ふるい分けによる粒径分布の決定方法」に従って測定した。
【００８１】
欧州特許第EP 1 730 218に記載の方法ではＰＳＤの対数標準偏差は以下のように求められる：最初に、篩分けによって粒径分布を求め、各粒度でのオーバーサイズの百分率Ｒを対数目盛上にプロットする。対数標準偏差（σζ）は、σζ＝０．５×Ｉｎ（Ｘ２／Ｘ１）で与えられる。ここで、Ｘ１およびＸ２はＲ＝８４．１重量％およびＲ＝１５．９重量％での粒径である。
【００８２】
0006342420.tif 000003
【００８３】
0006342420.tif 000004
【図１】
0006342420.tif 000005
【図２】
0006342420.tif 000006
【図３】
0006342420.tif 000007